(57)【要約】【課題】現在受信中の階層の放送から、他の階層の放送に切り替える場合に、切替先の階層の放送のデコードエラー発生率に基づいて、適切に受信できると判定される場合にのみ切り替えることが可能となり、かつ、不要なタイミングでデコードを行わないことにより消費電力を抑えることが可能なデジタル放送受信装置等を実現する。【解決手段】高階層放送を受信中に、高階層放送のデコードエラー発生率が第１の閾値以上となった場合に、低階層放送デコード部により低階層放送のデコードを開始し、低階層放送のデコードエラー発生率が第２の閾値以下か判定する。低階層放送のデコードエラー発生率が第２の閾値以下と判定された場合に、低階層放送を出力する。【選択図】図１
2014107578.tif 000002
【特許請求の範囲】
【請求項１】
高階層放送と低階層放送とを含むデジタル放送を受信するチューナ部と、
高階層放送と、低階層放送とを分離して出力する分離部と、
高階層放送をデコードし、デコードエラー発生率を算出可能な高階層放送デコード部と、
低階層放送をデコードし、デコードエラー発生率を算出可能な低階層放送デコード部と、
前記高階層放送デコード部により高階層放送のデコードを開始し、出力する制御を行うデコード制御部と、
を有し、
前記デコード制御部は、
前記高階層放送のデコードエラー発生率が第１の閾値以上となった場合に、低階層放送のデコードを開始し、低階層放送のデコードエラー発生率が第２の閾値以下か判定する判定部を備え、
前記判定部により、低階層放送のデコードエラー発生率が第２の閾値以下と判定された場合に、低階層放送を出力する制御を行うことを特徴とするデジタル放送受信装置。
【請求項２】
前記デコード制御部は、
前記低階層放送を、前記高階層放送に合成して出力することを特徴とする請求項１に記載のデジタル放送受信装置。
【請求項３】
前記デコード制御部は、前記低階層放送を出力中に、前記低階層放送のデコードエラー発生率が第３の閾値以下となった場合に、高階層放送のデコードを開始し、
前記判定部は、前記高階層放送のデコードエラー発生率が第４の閾値以下か判定し、
前記判定部により、高階層放送のデコードエラー発生率が第４の閾値以下と判定された場合には、高階層放送を出力する制御を行うことを特徴とする請求項１又は２に記載のデジタル放送受信装置。
【請求項４】
前記デコード制御部は、
低階層放送のデコードエラー発生率が所定時間経過しても第２の閾値以下と判定されない場合は、前記高階層放送のデコードを停止することを特徴とする請求項３に記載のデジタル放送受信装置。
【請求項５】
高階層放送と低階層放送とを含むデジタル放送を受信するチューナ部と、
高階層放送と、低階層放送とを分離して出力する分離部と、
高階層放送をデコードし、デコードエラー発生率を算出可能な高階層放送デコード部と、
低階層放送をデコードし、デコードエラー発生率を算出可能な低階層放送デコード部と、
前記高階層放送デコード部により高階層放送のデコードを開始し、出力する制御を行うデコード制御部と、
を有するコンピュータに、
前記高階層放送のデコードエラー発生率が第１の閾値以上となった場合に、低階層放送のデコードを開始し、低階層放送のデコードエラー発生率が第２の閾値以下か判定する判定機能と、
前記判定機能により、低階層放送のデコードエラー発生率が第２の閾値以下と判定された場合に、低階層放送を出力する出力機能と、
を実現させるためのプログラム。
【発明の詳細な説明】
【技術分野】
【０００１】
本発明は、デジタル放送受信装置等に関する。
【背景技術】
【０００２】
近年、デジタル放送受信装置において、高階層放送と、低階層放送とを両方受信可能な装置が知られている。例えば、地上デジタルテレビ放送（ＩＳＤＢ−Ｔ）の場合、１３セグメントに分かれてデジタル放送が送信されている。そして、地上デジタルテレビ放送の場合、１２セグメントを利用して送信される高階層放送と、１セグメント利用して送信される低階層放送とが含まれている。
【０００３】
ここで、高階層放送は、高品質なコンテンツ（例えば、高解像度の映像）を提供することが可能であるが、受信環境の変動に弱い。他方、低階層放送は、品質が低い（例えば、低解像度の映像）の提供となるが、受信環境の変動に強いという特徴がある。
【０００４】
この、高階層放送と、低階層放送とを両方受信できる受信装置の場合、受信感度に合わせて映像を切り替えて表示させることができる。この場合、ノイズの有無等を判定が難しいため、利用者の適切なタイミングで切り替えることが難しい。
【０００５】
したがって、例えば高階層放送と低階層放送との復調を同時に行い、各階層のエラー訂正率が所定の閾値を超えた場合に、各階層の映像を並列表示し、視聴したい映像を利用者に選択させる発明が知られている（例えば、特許文献１参照）。
【先行技術文献】
【特許文献】
【０００６】
【特許文献１】特許第４７９２１５７号
【発明の概要】
【発明が解決しようとする課題】
【０００７】
しかしながら、上述した特許文献１の方法では、各階層のデコードを常に並列に動作させる必要があるため、不要な消費電力が発生してしまうという問題点が生じていた。
【０００８】
また、上述した特許文献１の方法では、各階層のエラー訂正率が所定の閾値を超えた場合に、各階層の映像を表示することとなる。エラー訂正率に基づいた場合、エラー訂正率は悪く無いが、デコードに成功しないという場合が発生する。このような場合、「正しく受信できている」と判定されても、コンテンツが出力されるとノイズ等が含まれ正しく表示されない場合があり、不要な切替先の候補のコンテンツが表示されてしまうという問題点があった。
【０００９】
上述した課題に鑑み、本発明が目的とするところは、現在受信中の階層の放送から、他の階層の放送に切り替える場合に、切替先の階層の放送のデコードエラー発生率に基づいて、適切に受信できると判定される場合にのみ切り替えることが可能となり、かつ、不要なタイミングでデコードを行わないことにより消費電力を抑えることが可能なデジタル放送受信装置等を実現する。
【課題を解決するための手段】
【００１０】
上記課題を解決するために、本発明のデジタル放送受信装置は、
高階層放送と低階層放送とを含むデジタル放送を受信するチューナ部と、
高階層放送と、低階層放送とを分離して出力する分離部と、
高階層放送をデコードし、デコードエラー発生率を算出可能な高階層放送デコード部と、
低階層放送をデコードし、デコードエラー発生率を算出可能な低階層放送デコード部と、
前記高階層放送デコード部により高階層放送のデコードを開始し、出力する制御を行うデコード制御部と、
を有し、
前記デコード制御部は、
前記高階層放送のデコードエラー発生率が第１の閾値以上となった場合に、低階層放送のデコードを開始し、低階層放送のデコードエラー発生率が第２の閾値以下か判定する判定部と、
前記判定部により、低階層放送のデコードエラー発生率は第２の閾値以下と判定された場合には、低階層放送を出力する制御を行うことを特徴とする。
【００１１】
本発明のプログラムは、
高階層放送と低階層放送とを含むデジタル放送を受信するチューナ部と、
高階層放送と、低階層放送とを分離して出力する分離部と、
高階層放送をデコードし、デコードエラー発生率を算出可能な高階層放送デコード部と、
低階層放送をデコードし、デコードエラー発生率を算出可能な低階層放送デコード部と、
前記高階層放送デコード部により高階層放送のデコードを開始し、出力する制御を行うデコード制御部と、
を有するコンピュータに、
前記高階層放送のデコードエラー発生率が第１の閾値以上となった場合に、低階層放送のデコードを開始し、低階層放送のデコードエラー発生率が第２の閾値以下か判定する判定機能を備え、
前記判定機能により、低階層放送のデコードエラー発生率が第２の閾値以下と判定された場合に、低階層放送を出力する制御を行うことを実現することを特徴とする。
【発明の効果】
【００１２】
本発明のデジタル放送受信装置は、高階層放送デコード部により高階層放送のデコードをしているときに、高階層放送のデコードエラー発生率が第１の閾値以上となった場合に、低階層放送のデコードを開始し、低階層放送のデコードエラー発生率が第２の閾値以下か判定する。そして、低階層放送のデコードエラー発生率は第２の閾値以下と判定された場合に、低階層放送を出力することになる。これにより、高階層放送が適切にデコードされない場合だけ低階層放送のデコードが行われることにより、消費電力を抑えたデジタル放送受信装置を提供することができる。さらに、低階層放送のデコードエラー発生率が第２の閾値以下と判定された場合のみデコードしたものが出力されるため、正しくデコードされていないコンテンツ（映像）が出力されるといったことを防ぐことができる。
【００１３】
また、本発明のデジタル放送受信装置は、低階層放送デコード部により低階層放送のデコードをしているときに、低階層放送のデコードエラー発生率が第１の閾値以下となった場合に、高階層放送のデコードを開始し、高階層放送のデコードエラー発生率が第２の閾値以下か判定する。そして、低階層放送のデコードエラー発生率は第２の閾値以下と判定された場合には、高階層放送を出力することになる。これにより、高階層放送が適切にデコードされる場合だけ、高階層放送のデコードが行われることとなり、消費電力を抑えたデジタル放送受信装置を提供することができる。さらに、高階層放送のデコードエラー発生率が第２の閾値以下と判定された場合のみデコードしたものが出力されるため、正しくデコードされていないコンテンツ（映像）が出力されるといったことを防ぐことができる。
【図面の簡単な説明】
【００１４】
【図１】本実施形態におけるデジタル放送受信装置の機能構成図である。
【図２】第１実施形態における処理を説明するための動作フローである。
【図３】第１実施形態における動作例を説明するための動作フローである。
【図４】第２実施形態における処理を説明するための動作フローである。
【図５】第２実施形態における動作例を説明するための動作フローである。
【図６】第３実施形態における動作例を説明するための動作フローである。
【図７】第４実施形態における動作例を説明するための動作フローである。
【発明を実施するための形態】
【００１５】
以下、本発明のデジタル放送受信装置を適用した場合における実施形態を説明する。本実施形態において説明するデジタル放送受信装置は、デジタル放送から高階層放送（例えば、１２セグの映像）と、低階層放送（例えば、ワンセグの映像）とを受信可能とする装置である。
【００１６】
［１．第１実施形態］
［１．１  機能構成］
まず、第１実施形態におけるデジタル放送受信装置１の機能構成について図１を用いて説明する。デジタル放送受信装置１は、チューナ部１０と、デマルチプレクサ部２０と、デコード制御部３０と、高階層放送デコード部４０と、低階層放送デコード部５０と、出力映像作成部６０と、映像出力部７０と、制御部１００と、記憶部１１０とを含んで構成されている。
【００１７】
チューナ部１０は、利用者の所望する放送コンテンツを放送する番組の放送波を受信し、ＴＳ（Transport Stream）を出力するための機能部である。出力されたＴＳは、デマルチプレクサ部２０に入力される。
【００１８】
デマルチプレクサ部２０は、ＴＳ内の各ＥＳを取得し、それぞれ分離して出力する。本実施形態においては、高階層放送のＥＳ（例えば、１２セグ放送のＥＳ）と、低階層放送のＥＳ（例えば、１セグ放送のＥＳ）とを分離し、出力する。
【００１９】
高階層放送デコード部４０、低階層放送デコード部５０は、デマルチプレクサ部２０から入力されるＥＳのデコードを行い、映像データ、音声データ、文字データをデコードする為の機能部である。そして、映像データや文字データは出力映像作成部６０に、音声データは音声出力部（不図示）に、それぞれ出力される。また、高階層放送デコード部４０は高階層放送のＥＳを、低階層放送デコード部５０は低階層放送のＥＳをそれぞれ用いてデコードする。
【００２０】
また、高階層放送デコード部４０、低階層放送デコード部５０は、前記ＥＳをそれぞれデコードするときに、デコードエラー発生率を併せて算出する。
【００２１】
ここで、デコードエラー発生率とは、単位時間当たりのデコードフレーム（エンコード時にエンコーダが出力するフレーム）単位のエラー数を指すものとする。
【００２２】
デコードフレームは、放送ＴＳ（Transport Stream）内の視聴対象となるＥＳ（Elementary Stream）から得られる。
【００２３】
放送波の受信状況劣化などにより、受信するＴＳに欠損などが生じると、結果として得られるデコード対象のデコードフレームにエラーが発生する。
【００２４】
これをデコードエラーとしてカウントすることにより、単位時間当たりのデコードエラー発生率が算出できる。
【００２５】
なお、デコードフレームは、「デコードフレームのヘッダ正当性」や、「デコードフレームの長さ」、「デコードフレームに記述されるＣＲＣの正当性」をチェックすることにより、エラーの有無を確認することが可能であるが、手法はこれに限定するものではない。
【００２６】
また、本実施形態では視聴対象の番組が視聴に耐えうるものか否かを判定するための例として、デコードエラー発生率用いて説明するが、判定方法は他のパラメータを用いても良い。
【００２７】
例えば、デコード音声を再生するタイミングを確認するために定期送出されるＰＣＲ（Program Clock Reference）が、一定時間受信できない場合にも、デコード対象番組が視聴に耐えうる品質で再生できないことが考えられる。
【００２８】
この場合には、一定時間に確認できたＰＣＲの数など、ＰＣＲの連続性に閾値を設けることで、視聴対象番組が視聴に耐えうるものか否かを判断することが可能となる。
【００２９】
デコード制御部３０は、高階層放送デコード部４０、低階層放送デコード部５０から取得されるデコードエラー発生率から、それぞれのデコード部（高階層放送デコード部４０、低階層放送デコード部５０か）の実行／停止を制御するための機能部である。
【００３０】
出力映像作成部６０は、デコード制御部３０からの通知内容に従って、映像出力部７０に出力する映像データを作成する機能部である。本実施形態においては、「高階層放送デコード部４０の出力を映像出力部７０に出力する」、「低階層放送デコード部５０の出力を映像出力部７０に出力する」。「高階層放送デコード部４０／低階層放送デコード部５０の出力を合成して映像出力部７０に出力する」という動作を行うことが可能である。
【００３１】
映像出力部７０は、出力映像作成部６０から入力された映像データを出力するための機能部である。例えば、液晶ディスプレイ等の表示機器を有しており表示機器に出力しても良いし、ＨＤＭＩ等により接続された他の表示機器に表示しても良い。
【００３２】
制御部１００は、デジタル放送受信装置１の全体を制御するための機能部である。制御部１００は、記憶部１１０に記憶されている各種プログラムを読み出して実行することにより各種機能を実現しており、例えばＣＰＵ（Central Process Unit）等により構成されている。
【００３３】
記憶部１１０は、デジタル放送受信装置１の動作に必要な各種プログラムや、各種データが記憶されている機能部である。記憶部１１０は、例えば、半導体メモリや、ＨＤＤ（Hard Disk Drive）等により構成されている。
【００３４】
［１．２  処理の流れ］
続いて、第１実施形態における処理の流れについて図２を用いて説明する。図２は、デジタル放送受信装置１が、高階層放送を視聴中の場合に実行される処理である。
【００３５】
まず、高階層放送のデコードエラー発生率が閾値ａ以上となったか否かを判定する（ステップＳ１０２）。ここで、デコードエラー発生率が閾値ａ未満である場合は、高階層放送の視聴を続ける。
【００３６】
また、本実施形態における閾値は、高（低）階層放送において一定の視聴品質が保てる値である。一定の視聴品質とは、種々の事項が考えられるが、例えば「単位時間当たりに視聴画面において発生しうる（ブロック）ノイズの占有率」や、「単位時間当たりにコマおちするフレーム数」等から算出される値である。例えば、単位時間当たりに視聴画面において発生しうる（ブロック）ノイズの占有率を利用する場合、閾値を「５％」等とすることが考えられる。
【００３７】
なお、本実施形態において用いられる閾値は、予め定められているものであるが、例えば利用者により調整できるようにしても良い。また、デジタル放送受信装置の環境（例えば移動中や室内、屋外といった環境や、地域）に応じて変化することとしてもよい。この場合、記憶部１１０に閾値（例えば後述するものも含めて閾値ａ〜閾値ｄ）が記憶されており、適宜更新される。
【００３８】
また、デコードエラー発生率が閾値ａ以上となった場合（ステップＳ１０２；Ｙｅｓ）、すなわち高階層放送を視聴中に受信感度の劣化等によりデコードエラーが発生している場合、低階層放送のデコードを開始する（ステップＳ１０４）。
【００３９】
続いて、低階層放送のデコード率が、閾値ｂ以下か否かを判定する（ステップＳ１０６）。ここで、低階層放送デコードエラー発生率が閾値ｂより大きい場合、高階層放送だけでなく、低階層放送においても正しくデコードがされていないため、この時点では重畳表示を行わない。閾値ｂは、低階層放送が適切に出力（デコード）可能と判定される値（例えば、「３％」）である。
【００４０】
そして、低階層放送デコードエラー発生率が、閾値ｂ以下となったとき（ステップＳ１０６；Ｙｅｓ）、高階層放送映像に、低階層放送映像を合成表示、例えば重畳表示する（ステップＳ１０８）。ここで、重畳表示の状態からどちらの放送をデコードするかを利用者に選択させる。
【００４１】
利用者により、低階層放送が選択された場合には（ステップＳ１１０；Ｙｅｓ）、低階層放送を全画面表示し（ステップＳ１１２）、高階層放送のデコードを停止する（ステップＳ１１４）。
【００４２】
他方、高階層放送が選択された場合には（ステップＳ１１０；Ｎｏ）、低階層放送のデコードを停止し（ステップＳ１１６）、重畳表示を中止する（ステップＳ１１８）。なおい、ステップＳ１１６と、ステップＳ１１８とは逆の動作であっても良い。
【００４３】
［１．３  動作例］
続いて、動作例について図３を用いて説明する。図３（ａ）は、高階層放送が受信されている状態の一例を示す図である。図３（ａ）において、高階層放送が出力（表示）されているが、受信感度の低下により映像の乱れが発生している状態を示している。
【００４４】
このとき、低階層放送のデコードを開始し、低階層放送のデコードエラー発生率が閾値ｂ以下の場合、低階層放送を高階層放送の表示に重畳して子画面表示する（図３（ｂ））。
【００４５】
この段階で、例えば利用者により低階層放送が選択された場合には、低階層放送が全画面表示される（図３（ｃ））。このとき高階層放送のデコードは停止する。
【００４６】
ここで、高階層放送、低階層放送の選択方法としては種々の方法が考えられる。例えば、表示画面がタッチパネルで構成されている場合は当該放送画面をタッチ（タップ）することとしても良い。また、リモコン装置やキーボード、マウス等といった入力装置により選択されることとしても良い。
【００４７】
また、所定の時間が経過した場合は自動的にどちらかの放送が選択される構成としても良い。例えば所定時間が経過した場合は自動的に低階層放送が選択されたり、逆に低階層放送の選択がキャンセルされたり（高階層放送が選択されたり）しても良い。
【００４８】
［１．４  効果］
このように、本実施形態によれば、高階層放送を受信・デコード中、高階層放送が適切にデコードできない場合に、低階層放送を重畳して表示することができる。このとき、低階層放送のデコードエラー発生率を利用することにより、低階層放送が適切にデコード出来ない場合には、重畳表示を行わないため、利用者にとって利便性の高いデジタル放送受信装置となる。
【００４９】
また、低階層放送のデコード処理は、高階層放送が適切にデコード出来なくなった場合にのみ実行されるため、不要なタイミングのデコード処理を抑制することが可能となり、消費電力を抑えることが可能となる。
【００５０】
［２．第２実施形態］
［２．１  処理の流れ］
続いて、第２実施形態について説明する。第２実施形態は、デジタル放送受信装置１の機能構成等は第１実施形態と同じである。第２実施形態は、低階層放送を視聴中（デコード中）の場合における動作について説明する実施形態である。
【００５１】
低階層放送受信中のとき、低階層放送デコードエラー発生率が閾値ｃ以下となった場合に（ステップＳ２０２；Ｙｅｓ）、高階層放送のデコードを開始する（ステップＳ２０４）。ここで、閾値ｃは、低階層放送が十分にデコード出来ている値、すなわち受信環境が良いため、高階層放送も適切にデコード（出力）出来る可能性が高いと判断される値（例えば、「１％」）である。
【００５２】
ここで、高階層放送デコードエラー発生率が閾値ｄより大きいの場合、高階層デコードエラー発生率が閾値ｄ以下になるまで待機する（ステップＳ２０６；Ｎｏ→ステップＳ２１６；Ｎｏ→ステップＳ２０６）。ここで、閾値ｄは、高階層放送が適切にデコード（出力）出来ると判断される値（例えば、「５％」）である。
【００５３】
所定時間受信しても、高階層放送のデコードエラー発生率が閾値ｄ以下にならない場合は、高階層放送のデコードを停止し、ステップＳ２０２に戻って処理を実行する（ステップＳ２０６；Ｎｏ→ステップＳ２１６；Ｙｅｓ→ステップＳ２１８→ステップＳ２０２）。これにより、高階層放送が所定時間適切にデコード出来ない場合、消費電力を抑えることが可能となる。
【００５４】
高階層放送のデコードエラー発生率が閾値ｄ以下になった場合（ステップＳ２０６；Ｙｅｓ）、低階層放送の映像に、高階層放送の映像を合成して重畳表示する（ステップＳ２０８）。ここで、高階層放送が選択されると（ステップＳ２１０；Ｙｅｓ）、高階層放送を全面表示し（ステップＳ２１２）、低階層放送のデコードを停止する（ステップＳ２１４）。
【００５５】
他方、低階層放送が選択されると（ステップＳ２１０；Ｎｏ）、高階層放送のデコードを停止し（ステップＳ２２０）、高階層放送の重畳表示を中止する（ステップＳ２２２）。なお、ステップＳ２２０と、ステップＳ２２２とは逆の動作であっても良い。
【００５６】
［２．２  動作例］
続いて、動作例について図５を用いて説明する。図５（ａ）は、低階層放送が受信されている状態の一例を示す図である。
【００５７】
このとき、低階層放送のデコードエラー発生率が閾値ｃ以下となっている場合、すなわち低階層放送の受信状況が改善さている場合、高階層放送のデコードを開始する。そして、高階層放送のデコード率が閾値ｄ以下の場合、低階層放送を高階層放送の表示に重畳して表示する（図５（ｂ））。
【００５８】
この段階で、例えば利用者により高階層放送が選択された場合には、高階層放送が全画面表示される（図５（ｃ））。このとき低階層放送のデコードは停止する。
【００５９】
なお、各階層放送の選択方法としては種々の方法が考えられる。例えば、表示画面がタッチパネルで構成されている場合は当該放送をタッチ（タップ）することとしても良いし、リモコン装置やキーボード、マウス等といった入力装置により選択されることとしても良い。
【００６０】
また、所定の時間が経過した場合は自動的にどちらかの放送が選択される構成としても良い。例えば所定時間が経過した場合は自動的に高階層放送が選択されたり、逆に高階層放送の選択がキャンセルされたり（低階層放送が選択されたり）しても良い。
【００６１】
［２．３  効果］
このように、本実施形態によれば、低階層放送を受信中、低階層放送の受信状況が好適となっているため、高階層放送が受信できると見込まれる場合に、高階層放送して合成して表示することができる。このとき、高階層放送のデコードエラー発生率を利用することにより、高階層放送が適切にデコード出来ない場合には、合成表示を行わないため、利用者にとって利便性の高いデジタル放送受信装置となる。
【００６２】
［３．第３実施形態］
続いて、第３実施形態について説明する。上述した実施形態においては、子画面表示（重畳表示）を行う場合について説明したが、第３実施形態は、切替先の階層の映像ではなく識別表示等を合成表示する実施形態である。
【００６３】
ここで、第３実施形態における機能構成及び処理については第１実施形態及び第２実施形態と同様である。しかし、出力される画面において、階層の異なる放送（映像）を合成（重畳）表示せずに、識別表示をすることによって階層を切り替えることとする。
【００６４】
すなわち、例えば高階層放送の表示中であれば、図２のステップＳ１０８において、高階層放送に低階層放送を重畳表示する代わりに、低階層放送に切替可能であることを識別表示を行う。また、低階層放送の表示中であれば、図４のステップＳ２０８において、低階層放送に高階層放送を重畳表示する代わりに、高階層放送に切替可能であることを識別表示する。
【００６５】
具体的には、図６（ａ）に示すように、高階層放送が出力（デコード）されているが、受信感度の低下により映像の乱れが発生している。ここで、低階層放送のデコードを開始し、低階層放送のデコードエラー発生率が閾値ｂ以下の場合、低階層放送が受信可能であることを識別表示する（図６（ｂ）のＭ１００）。
【００６６】
当該識別表示がなされると、利用者としては低階層放送に切り替えることが可能（高階層放送のデコードエラー発生率が高く、適切にデコードできてない）ことが識別出来るため、低階層放送に切り替えることが可能となる（図６（ｃ））。
【００６７】
このように、本実施形態によれば、高階層放送が適切に出力出来てないことを検知した場合に、低階層放送への切り替えが有効な場合には合成表示をすることなく識別表示をすることにより、利用者に報知することが可能となる。
【００６８】
子画面等の重畳表示が視聴画面の多くを占有してしまい、視聴の邪魔になる場合がある。このような場合、識別表示を用いることにより視聴画面を邪魔せず適切なタイミングで切替可能なことを利用者に報知することができる。とくに、スマートフォンを含む携帯電話のように、表示画面の大きさが限定される装置において効果的である。
【００６９】
なお、本実施形態では、高階層放送受信中（表示中）に、低階層放送に切り替える例を説明したが、低階層放送受信中（表示中）に、高階層放送に切替可能となった場合も同様に識別表示することが可能である。
【００７０】
［４．第４実施形態］
続いて第４実施形態について説明する。上述した実施形態に加えて、階層を切り替える動作を明示的にキャンセルする動作を追加するものである。
【００７１】
例えば、図７（ａ）で示すように、低階層放送を受信中（表示中）に、受信状況が改善され、高階層放送が重畳表示されたとする（図７（ｂ））。この場合、表示画面中にキャンセル表示がされている。利用者により、キャンセルが選択されると、明示的に高階層放送の受信を停止し、低階層放送を継続して受信することとする（図７（ｃ））。
【００７２】
このように、本実施形態によれば、継続して低階層放送を受信したい場合に、キャンセル動作を選択することにより、低階層放送を継続して受信することが可能となる。なお、例えばキャンセル動作をした後は、所定時間低階層放送を継続して受信することとしても良いし、同一チャンネルの間は低階層放送を受信し続けるという処理にしても良い。
【００７３】
また、本実施形態では、低階層放送受信中（表示中）に、高階層放送に切り替える例を説明したが、高階層放送受信中（表示中）に、低階層放送に切替可能となった場合も同様に識別表示することが可能である。
【００７４】
［５．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００７５】
なお、上述した実施形態のデジタル放送受信装置は、例えばスマートフォンを含む携帯電話、タブレット、カーナビゲーション、ＴＶ、コンピュータといったデジタル放送を受信可能な受信装置であれば適用可能である。
【００７６】
また、上述した実施形態においては、階層の切替としてトリガとしてデコードエラー発生率を採用して説明しているが、他の基準を用いて切り替えることとしても良い。例えば、チューナの受信感度や、受信データのＢＥＲ（Bit Error Rate）、ＰＥＲ（Packet Error Rate）等を用いても良い。
【００７７】
また、上述した実施形態においては、各実施形態（第１実施形態、第２実施形態）を独立して説明しているが、連続して動作しても良いことは勿論である。例えば、第１実施形態において高階層放送を視聴中に低階層放送に切替える。そして、低階層放送を視聴中に更に高階層放送に切り替えるという動作を行っても良い。
【００７８】
これにより、例えば、移動中であるため受信環境が変動する場合に、可能な限り高階層放送を視聴（受信）することが可能となり、更に常時
【００７９】
また、上述した実施形態では、現在受信中の階層と異なる階層の画面を子画面に重畳表示する例として説明したが、例えば分割画面により表示することとしても良い。すなわち、利用者が切り替える先の画面を確認出来れば良い。
【００８０】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【００８１】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００８２】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【００８３】
また、上述した実施形態における各装置の一部又は全部を典型的には集積回路であるＬＳＩ（Large Scale Integration）として実現してもよい。各装置の各機能ブロックは個別にチップ化してもよいし、一部又は全部を集積してチップ化してもよい。また、集積回路化の手法はＬＳＩに限らず専用回路又は汎用プロセッサで実現しても良い。また、半導体技術の進歩によりＬＳＩに代替する集積回路化の技術が出現した場合、当該技術による集積回路を用いることも可能であることは勿論である。
【符号の説明】
【００８４】
１        ：デジタル放送受信装置
１０      ：チューナ部
２０      ：デマルチプレクサ部
３０      ：デコード制御部
４０      ：高階層放送デコード部
５０      ：低階層放送デコード部
６０      ：出力映像作成部
７０      ：映像出力部
１００    ：制御部
１１０    ：記憶部
【図１】
2014107578.tif 000003
【図２】
2014107578.tif 000004
【図３】
2014107578.tif 000005
【図４】
2014107578.tif 000006
【図５】
2014107578.tif 000007
【図６】
2014107578.tif 000008
【図７】
2014107578.tif 000009